(57)【要約】【課題】会議で必要なプレゼンテーション資料を、会議室予約システムの予約画面上に、プレゼンテーション資料ＩＣＯＮをＤｒｕｇ＆Ｄｒｏｐすることで会議室のネットワーク装置内の記憶部に記憶させ、会議の準備を簡単化することを目的とする。【解決手段】ネットワークに接続されたユーザ端末とスケジュール管理サーバ、ネットワーク接続されたプレゼンテーション機器で構成され。ブラウザ画面上で会議室予約が受け付けられた後、会議で使われる資料を前記ブラウザ画面の会議室予約時間帯にファイルＩＣＯＮをＤｒｕｇ＆Ｄｒｏｐさせプレゼンテーション機器の記憶部に会議時間と関連付けてファイルさせる。【選択図】        図１
2004252649.tif 000002
【特許請求の範囲】
【請求項１】
会議室予約を管理するサーバ装置とそのサーバにブラウザを介して会議室予約する情報入力表示端末と、前記情報入力表示端末からの前記サーバへの接続手段と、前記サーバから予約画面情報を解釈し予約画面を構成し予約作業をするネットワーク予約システムにおいて、
会議に使用するファイルを、前記情報入力表示端末内の会議室予約画面上の予約済み会議室および時間帯領域にファイルＩＣＯＮをＤｒｕｇ＆Ｄｒｏｐすることで会議室に設置された情報出力装置の記憶部に会議使用時間と関連つけて記憶することを特徴とするネットワーク会議室予約システム。
【請求項２】
請求項１記載のネットワーク会議室予約システムにおいて、ネットワーク接続機器は、イーサネット（Ｒ）接続機能を持ったプラズマディスプレイ、液晶プロジェクタや液晶ディスプレイ、またプリンタであることを特徴とするネットワーク会議室予約システム。
【請求項３】
請求項１記載のネットワーク会議室予約システムにおいて、ネットワーク機器に記憶されるファイル情報は、プレゼンテーション用の記述言語により記述されたファイル形式であり、受信したネットワーク機器の表示能力情報に従って、予めその出力形式変換されることを特徴とするネットワーク会議室予約システム。
【請求項４】
請求項３記載のネットワーク会議室予約システムにおいて、ファイル形式を表示装置の表示として扱えるアプリケーションファイルがネットワーク機器に存在しない場合は、前記ユーザ側表示装置に、警告メッセージを表示することを特徴とするネットワーク会議室予約システム。
【請求項５】
請求項１ないし４いずれか記載のネットワーク会議室予約システムにおいて、ネットワーク接続がワイヤレス通信で構成されたことを特徴とするネットワーク会議室予約システム。
【請求項６】
請求項１ないし５いずれか記載のネットワーク会議室予約システムにおいて、会議予約管理サーバに予約時に利用予定ネットワーク装置に接続できなかった場合は、予め設定されたインターバルで予め設定された接続動作回数を越えてネットワーク装置に接続動作しファイルを記憶できなかった場合、電子メールで登録できなかったことをユーザに知らせることを特徴とするネットワーク会議室予約システム。
【発明の詳細な説明】
【０００１】
【発明の属する技術分野】
この発明は、ネットワーク（ＬＡＮ等）に接続可能な、液晶やＤＬＰをライトバブルとしたネットワーク型プロジェクタ装置等を会議室に配置し、会議予約システムにより、会議で使う資料等を予めネットワークプロジェクタの記憶装置に事前に記憶させるネットワーク会議室予約システムに関する。
【０００２】
【従来の技術】
従来例として、会議室スケジュール情報に関連した文書を容易に登録することができ、かつ検索時には所望の文書を容易に取り出せる文書管理装置が提案されている（例えば、特許文献１参照）。また、図１３に示すごとく、ユーザ端末１００で作成されたプレゼン用のファイルは、ネットワーク上のファイルサーバ１０２に記憶され、また、会議室予約サーバとは全く独立したネットワークアドレスに会議室予約サーバ１０３が配置され、ファイルサーバと会議室予約サーバとの連携はとられていなかった。
【０００３】
ここで提案されている構成では、スケジュール情報に関連付けられた文書情報は、サーバ内に蓄えられるのみで、この構成では突然のプレゼンテーションや会議の説明資料をプロジェクタ等の表示装置にロードし適当な表示方式に短時間で変換し使用したい場合、サーバへのアクセスの混み具合や、ネットワークへの複数のユーザの同時アクセスの度合い、またはまれにネットワークトラブルの発生から、正しくプロジェクタまで送信されず、プレゼンテーションがなかなか始められない場合もあり、ネットワークを介してプレゼンテーションをするときのネックになっていた。
【０００４】
【特許文献１】
特開２０００−２３１５８６号公報
【０００５】
【発明が解決しようとする課題】
従来技術の特開２０００−２３１５８６号公報で記述された文書管理システムおよび文書管理方法を使って、会議室に設置されたコンピュータ画面にスケジュール情報と関連つけたファイルを、いちいちネットワークを介して検索し、表示装置であるコンピュータの画面に表示することはできる。しかし、ネットワーク上の問題や、ファイル管理やスケジュール管理するサーバの速度やアクセスの増加に伴う、速度の遅れによりプロジェクタに表示するまでの時間の遅れや、表示の失敗が頻繁に起こるため、利用前に予めサーバから会議室に有るＰＣにプレゼンテーションで必要なファイルを事前に手作業でロードし、予めＰＣ内のハードディスクやフロピーディスク、ＰＣＭ−ＣＩＡカード等の記憶部に記憶させ、その記憶させたファイルをＰＣ上のアプリケーションでグラフィックカード上に展開させ、接続されたプロジェクタにＶＧＡケーブルを介して、表示させていた。プレゼンテーションに備えて前準備の必要を余儀なくされていた。
【０００６】
この操作を無くし、信頼性を上げるため、さらには、目的の会議室に設置されたプロジェクタ装置の記憶装置により簡単な操作で記憶させ、その会議時間に関連させ自動的にその会議で使う予定のプレゼンテーションファイルを、ファイル検索画面に優先的に表示させ、プレゼンテーションの担当者が混乱なく、液晶プロジェクタのリモートコントローラ等の簡単な操作手段で所望のプレゼンテーション画面を準備できるようにする、ネットワーク会議室予約システムを提供することを目的とする。
【０００７】
【課題を解決するための手段】
前記の課題を解決するために、請求項１の発明では、ネットワークに接続された情報表示装置からブラウザソフトによりサーバ内の会議室予約プログラムを起動し、その会議室予約画面情報を前記情報表示装置の表示部に表示して、利用できる会議室および時間情報を利用者に知らせ、利用可能な会議室、時間帯を前記情報装置の操作部の指示に従って予約可能としたシステムにおいて、
会議予約受け付け出来たことを情報表示装置に表示する表示手段と、予約を受付た後、会議室で利用可能なネットワーク接続機器のアイコンを前記情報表示装置に表示する表示手段と、前記アイコン上に、会議で利用するファイル情報をＤｒｕｇ＆Ｄｒｏｐすることにより利用可能なネットワーク接続機器の記憶部に蓄積されることを特徴とする、ネットワーク会議室予約システムを提供する。
【０００８】
この発明の会議室スケジュール管理サーバおよびネットワーク型会議支援装置は、プレゼンテーションの準備が簡単に間違い無く、行えるようにしたものである。
【０００９】
この発明は、ネットワーク接続機器には透過型液晶ディスプレイを備えた表示装置および投影装置に代えて、投射型ディスプレイプロジェクタを用いたものとすることができる。また、ＤＭＤ（Ｄｉｇｉｔａｌ  Ｍｉｌｌａｒ  Ｄｅｖｉｃｅ）等で構成した反射ミラータイプのプロジェクタでも同様である。表示装置としては、ＣＲＴや液晶画面、プラズマディスプレイ等のフラットパネルディスプレイでも同様であり、またネットワークプリンタやＦＡＸ等でも同様な効果が期待できる。
【００１０】
なお、さらに詳細に説明すれば、本発明は下記の構成によって前記課題を解決できた。
【００１１】
（１）会議室予約を管理するサーバ装置とそのサーバにブラウザを介して会議室予約する情報入力表示端末と、前記情報入力表示端末からの前記サーバへの接続手段と、前記サーバから予約画面情報を解釈し予約画面を構成し予約作業をするネットワーク予約システムにおいて、会議に使用するファイルを、前記情報入力表示端末内の会議室予約画面上の予約済み会議室および時間帯領域にファイルＩＣＯＮをＤｒｕｇ＆Ｄｒｏｐすることで会議室に設置された情報出力装置の記憶部に会議使用時間と関連つけて記憶することを特徴とするネットワーク会議室予約システム。
【００１２】
（２）前記（１）記載のネットワーク会議室予約システムにおいて、ネットワーク接続機器は、イーサネット（Ｒ）接続機能を持ったプラズマディスプレイ、液晶プロジェクタや液晶ディスプレイ、またプリンタであることを特徴とするネットワーク会議室予約システム。
【００１３】
（３）前記（１）記載のネットワーク会議室予約システムにおいて、ネットワーク機器に記憶されるファイル情報は、プレゼンテーション用の記述言語により記述されたファイル形式であり、受信したネットワーク機器の表示能力情報に従って、予めその出力形式変換されることを特徴とするネットワーク会議室予約システム。
【００１４】
（４）前記（３）記載のネットワーク会議室予約システムにおいて、ファイル形式を表示装置の表示として扱えるアプリケーションファイルがネットワーク機器に存在しない場合は、前記ユーザ側表示装置に、警告メッセージを表示することを特徴とするネットワーク会議室予約システム。
【００１５】
（５）前記（１）ないし（４）いずれか記載のネットワーク会議室予約システムにおいて、ネットワーク接続がワイヤレス通信で構成されたことを特徴とするネットワーク会議室予約システム。
【００１６】
（６）前記（１）ないし（５）いずれか記載のネットワーク会議室予約システムにおいて、会議予約管理サーバに予約時に利用予定ネットワーク装置に接続できなかった場合は、予め設定されたインターバルで予め設定された接続動作回数を越えてネットワーク装置に接続動作しファイルを記憶できなかった場合、電子メールで登録できなかったことをユーザに知らせることを特徴とするネットワーク会議室予約システム。
【００１７】
【作用】
ネットワーク上の問題や、ファイル管理やスケジュール管理するサーバの速度やアクセスの増加に伴う、速度の遅れによりプロジェクタに表示するまでの時間の遅れや、表示の失敗が頻繁に起こるため、利用前に予めサーバから会議室に有るＰＣにプレゼンテーションで必要なファイルを事前に手作業でロードし、予めＰＣ内のハードディスクやフロピーディスク、ＰＣＭ−ＣＩＡカード等の記憶部に記憶させ、その記憶させたファイルをＰＣ上のアプリケーションでグラフィックカード上に展開させ、接続されたプロジェクタにＶＧＡケーブルを介して、表示させていた。プレゼンテーションに備えて事前準備の必要を余儀なくされていた。
【００１８】
この操作を無くし、信頼性を上げるため、さらには、目的の会議室に設置されたプロジェクタ装置の記憶装置により簡単な操作で記憶させ、その会議時間に関連させ自動的にその会議で使う予定のプレゼンテーションファイルを、ファイル検索画面に優先的に表示させ、プレゼンテーションの担当者が混乱なく、また、液晶プロジェクタのリモートコントローラ等の簡単な操作手段で所望のプレゼンテーション画面を準備できるように、または簡単なマウス等の操作で所望のプレゼンテーション資料を印刷させることを目的とする。
【００１９】
【発明の実施の形態】
以下、この発明の実施例を図に基づいて詳説する。
【００２０】
図１はこの発明の一実施例のシステムブロックを示している。図２はこの発明の中のネットワーク接続機器の一例として、ファイル記憶メモリ付きのネットワーク液晶プロジェクタを例に示した。
【００２１】
図１においてネットワーク幹線３は国際標準のＩＥＥＥ８０２．３のようなハード的仕様でそれにユーザ端末１、スケジュール管理サーバ２が接続され、会議室Ａ４内には、ネットワーク対応プロジェクタ５およびネットワーク対応プリンタ６も前記ネットワークにイーサネット（Ｒ）等の通信方式でＴＣＰ／ＩＰ等のプロトコルで相互通信を行うように構成されている。
【００２２】
次に、ネットワーク対応プロジェクタ５の構成を一例として説明する。
【００２３】
２２は、プレゼンテーションファイルを記憶する記憶部、２４は、現在の時間をカウントするリアルタイムクロックであり、２３は、本ネットワーク対応プロジェクタの全体動作を制御するＣＰＵである。２５は、本プロジェクタのＬＡＮネットワーク接続インターフェースである。
【００２４】
３９は、パソコン（ＰＣやマッキントッシュなど）からのアナログＲＧＢ信号で、ＶＧＡ（６４０ｘ４８０画素）やＸＧＡ（１０２４ｘ７６８画素）等の画素数相当の信号である。３８は、そのＲＧＢ信号をＲＧＢそれぞれ８ビット相当のデジタル信号に変換するＡ／Ｄコンバータで、２５は、デジタル画像処理および／ＯＳＤ（Ｏｎ  Ｓｃｒｅｅｎ  Ｄｉｓｐｌａｙ）で、液晶の色特性や明るさ特性に合わせてデジタル化されたＲＧＢ信号に演算処理を加え、また入力信号の解像度と液晶画面解像度に合わせ込む解像度変換し、表示用メモリ２７に演算処理された出画像データおよびＯＳＤ表示データを加算して書きこみ表示画面を構成する。書きが終了し１フレームが構成されると、その画像データが順次液晶ドライバ２８に送られ、２９のＬＣＤに可視画像が構成され、２１の光源ランプの光が、集光レンズにより液晶画面に集められ、ズームレンズ３５により表示サイズの調整およびフォーカスレンズ３６によりスクリーン４２へのフォーカス調整がされ、プレゼンテーション用の画面が表示される。
【００２５】
次に図１１（１）（２）動作フローに沿って説明を加える。
【００２６】
Ｓ２５２にて利用者は、ユーザ端末１上で、Ｍｉｃｒｏｓｏｆｔ社パワーポントやその他のファイル作成ソフトを使ってプレゼンテーションファイル１３を作成する。
【００２７】
Ｓ２５４でユーザ端末内の記憶部（不記）にプレゼンテーションファイル１３を記憶させる。Ｓ２５６でユーザ端末内に記憶されたマイクロソフト社ＩＥやネットエスケープ等のブラウザソフトを起動する。Ｓ２５７では、ユーザ端末のキーボードやマウスの操作により、会議室予約サーバ２のＵＲＬアドレス（Ｕｎｉｆｏｒｍｅｄ  Ｒｅｓｏｕｒｃｅ  Ｌｏｃａｔｏｒ）をブラウザアプリケーションから指定しＴＣＰ／ＩＰプロトコルに従って、ユーザ端末１と会議室予約管理サーバ２が接続される。
【００２８】
Ｓ２５８では、会議室予約管理サーバ２は、ＨＴＴＰプロトコルに従って、図３の予約条件入力画面５０をユーザ端末１の表示装置１０に、表示するＨＴＭＬデータをユーザ端末１へ送る。Ｓ２６０では、ユーザ端末１は、受信したＨＴＭＬコードをブラウザが解読して図３の予約条件入力画面５０を表示する。Ｓ２６２では、ユーザはマウスとキーボード等を操作して会議室を使いたい月日を入力する。ここで、ユーザは、会議室を９月２０日の午後１：００ＰＭから３：００ＰＭに予約して、自分の作成したファイル１３をネットワークプロジェクタ５のプレゼンテーション記憶部２２に会議室予約時間と関連つけて記憶させたいとする。
【００２９】
Ｓ２６４では、要求された月日に会議室が空いているかを判別し時間帯があれば、ステップＳ２６６に移行し、会議室予約管理サーバ２は、図４の様にＨＴＴＰプロトコルに従って予約状況確認画面をＨＴＭＬファイルフォーマットにしてユーザ端末１に送付する。ステップ２６８では、受信したＨＴＭＬをブラウザが解読して図４の予約状況確認画面を表示装置１０に表示する。
【００３０】
空いている会議室が無い場合は、会議室予約管理サーバ２は、図９の利用できる会議室が無い趣旨のＨＴＭＬコードをユーザ端末１に送り、ユーザに再度利用したい月日を入力させるためステップ２６０に戻る。
【００３１】
Ｓ２７１では、図４の５２のユーザ端末１の表示画面の予約時間帯５２をマウス等のカーソルを移動させその上でダブルクリックする。ステップＳ２７２において、ユーザ端末１のブラウザソフトは、クリックされたＡ会議室、時間情報を会議室予約管理サーバ２へ通知する。
【００３２】
ステップ２７４において、会議室予約管理サーバ２の予約管理データから会議室Ａの１：００ＰＭ−３：００ＰＭが空いている場合は、ステップＳ２７６で予約管理サーバ２から、図５に示す登録者名、所属等の個人情報入力画面を生成するＨＴＭＬをユーザ端末１へ送信する。ステップＳ２８０ユーザ端末１は、個人情報入力画面のＨＴＭＬをデコードして図５の画面５３を表示させる。
【００３３】
ステップＳ２８４で、ユーザはユーザ端末１のキーボードやマウス等の入力機器により図５の５３に個人情報を入力する。所属：技術部  名前：田口富茂  電話：５９５５と入力したとする。ステップＳ２８６でブラウザソフトは入力された個人情報を予約管理サーバ２へ送信する。ステップＳ２８８で、会議室予約管理サーバ２は図６の会議室予約管理テーブルの５４を追加し、サーバ内記憶部（不記）に記憶させる。ステップＳ２９０において、予約が正しく受け付けられたことをユーザ端末１上で判別できるようにＡ会議室の１：００ＰＭ−３：００ＰＭを太枠およびゴマ点表示する。
【００３４】
次に、本発明の特徴となる、プレゼンテーションファイルのネットワークプロジェクタやネットワークプリンタ等への登録作業方法について説明する。
【００３５】
会議室予約が受け付けられた後、ステップＳ２９２に置いてはユーザが予約した会議室で使いたいプレゼンテーションファイル１３があり、ネットワーク対応プロジェクタ５を使うとする。
【００３６】
ステップＳ２９４でユーザ端末１内のプレゼンファイル１３のＩＣＯＮを図７に示すように、既に予約を受け付けられた会議室、時間帯にドラッグする。ＩＣＯＮが該当時間帯の上にドラッグされると、ブラウザソフトは、ネットワーク３を介して図８の会議室Ａに備え付けられているネットワーク装置とそのＩＰアドレス情報を会議室予約管理サーバ２に送信要求する。
【００３７】
会議室予約管理サーバは、図７の５５の様に会議室Ａ内にあるネットワーク装置をユーザ端末１に表示させるためのＨＴＭＬデータを送信する。ステップＳ２９８でユーザは、プレゼンテーションファイルＩＣＯＮ１３を５６のネットワークプロジェクタＩＣＯＮにドラッグしてドロップする。ステップＳ３００で、会議室管理サーバ１は、ブラウザからプレゼンテーションファイルＩＣＯＮが、ネットワークプロジェクタＩＣＯＮ５６にドロップされた情報を受け、前記プレゼンテーションファイル１３をＦＴＰ（Ｆｉｌｅ  Ｔｒａｎｓｆｅｒ  Ｐｒｏｔｏｃｏｌ）プロトコル等で、ユーザ端末１からファイルデータを受信、図８のネットワークプロジェクタのＩＰアドレスと会議室予約情報を関連つけて管理テーブル図１０を更新する。会議室Ａ内のネットワーク装置のＩＰアドレス情報は、予め会議室予約管理サーバ２内に、ネットワーク管理者等により入力されている。
【００３８】
さらに、ステップＳ３０２で、会議室予約管理サーバ２は、ネットワークプロジェクタ５がネットワーク接続状態にあるかをＴＣＰＩＰプロトコルで確認し、接続状態にある場合は図１０の更新データおよびプレゼンテーションファイル１３をネットワークプロジェクタ５のプレゼンテーションファイル記憶部２２に、会議室予約日時情報とともに記憶させる。
【００３９】
ネットワークプロジェクタが接続状態で無い場合は、予めネットワーク管理者やユーザによって設定された回数だけ、予め設定された時間間隔で前記ネットワークプロジェクタにＴＣＰＩＰ接続を試み、それでも接続不可能な場合は、会議室予約時に予約者の名前とともに登録された、電子メールアドレスにネットワークプロジェクタに登録できなかったメッセージを送ることもできる。また、正しく登録できた場合は先のメールアドレスに正しく登録できた趣旨のメールとアクセスパスワードを追加して、ユーザに送付する。
【００４０】
また、会議室予約をした後に、先に登録したファイルに変更を加える場合は、上記のメールといっしょに送られてきたアクセスパスワードを図３の５７に入力し、動作フロー図１１（１）のステップＳ２６６から再登録操作をすることでプレゼンテーションファイル１３を更新しネットワークプロジェクタの記憶部２２に再記録することができる。
【００４１】
使用したいプレゼンテーションファイルが無い場合は、図７右上の「決定」ボタンをクリックして一連の会議室予約を終了する。継続予約をする場合は、ステップＳ３０２において、図７右上の「継続」ボタンをクリックするとステップＳ２６０に戻り新しい予約受け付け状態になる。
【００４２】
会議室予約管理サーバ２から送られてきた、図１０の会議時間およびその時間で使われる予定のドキュメントが、実際に会議室で使われるまでを説明する。
【００４３】
ネットワークプロジェクタ５のＣＰＵは、会議室予約時間とリアルタイムクロックからの時間とを比較し、常に現在時刻にもっとも近い未来の会議のためのファイルを、それに対応するドキュメントをワイヤレスリモコン４４の検索ボタン（図記述無し）で操作することで、ユーザは、自分の利用するファイルを簡単に検索できる。
【００４４】
【発明の効果】
この発明によれば、会議室予約をネットワークを介して行うシステムにおいて、会議で使う予定の電子データを予め会議室を予約する時に目的の会議室内に設置されているネットワーク装置の記憶部に会議室の予約時間と関連付けて自動的に記憶される。
【００４５】
会議室時間予約の表示画面上での予約操作とネットワーク装置へのプレゼンテーションファイルの登録を簡単な操作で実現でき、また、従来システムにあった、ネットワークの状況の変化からくる会議室予約管理サーバからのファイルの転送の失敗や遅延等からくる会議のスムーズな進行を実現させる効果がある。
【００４６】
本第一の実施例においては、ネットワーク有線のネットワーク接続構成で説明をしたが、第二の実施例のようにワイヤレスのＬＡＮネットワークや民生機器の間で主流の通信方式となりつつあるＩＥＥＥ１３９４方式でのネットワークにおいても全く同等な効果がある。また、携帯電話等の携帯機器を介した会議室予約、Ｂｌｕｅｔｏｏｔｈ等の近距離ワイヤレス通信方式を使ったシステムにおいても同様である。
【図面の簡単な説明】
【図１】本実施例会議室予約画面上へファイルをＤ＆Ｄすることを示す図
【図２】本実施例のネットワーク液晶プロジェクタを示す図
【図３】予約条件入力画面を示す図
【図４】予約状況確認画面を示す図
【図５】予約個人情報入力画面を示す図
【図６】会議室予約管理サーバ内予約管理表を示す図
【図７】予約の会議室Ａで利用するネットワーク機器を示す図
【図８】会議室予約サーバに登録された会議室内ネットワーク装置とそのＩＰアドレスを示す図
【図９】会議室予約管理サーバの管理下の会議室がすべて予約で埋まってしまっている時の表示例を示す図
【図１０】会議室予約管理サーバ内会議室予約データと関連ファイルを示す図
【図１１（１）】本実施例の動作フローを示す図
【図１１（２）】本実施例の動作フローを示す図
【図１２】第２の実施例のワイヤレスＬＡＮ接続を示す図
【図１３】従来例を示す図
【符号の説明】
１  ユーザ端末
２  会議室予約管理サーバ
３  ネットワーク
４  会議室Ａ
５  ネットワーク対応プロジェクタ
６  ネットワーク対応プリンタ
１０  表示装置
１１  表示装置画面拡大
１２  表示装置画面上の会議室予約確認画面
１３  ユーザ端末で作成されたプレゼンファイルＩＣＯＮ
２１  光源ランプ
２２  プレゼンテーションファイル記憶部
２３  ＣＰＵ
２４  リアルタイムクロック
２５  ネットワークＩ／Ｆ
２６  デジタル画像処理／ＯＳＤ
２９  液晶パネル
３３  集光光学系
３８  Ａ／Ｄ変換
４２  スクリーン
４３  ワイヤレスリモコン受光部
４４  ワイヤレスリモコン
【図１】
2004252649.tif 000003
【図２】
2004252649.tif 000004
【図３】
2004252649.tif 000005
【図４】
2004252649.tif 000006
【図５】
2004252649.tif 000007
【図６】
2004252649.tif 000008
【図７】
2004252649.tif 000009
【図８】
2004252649.tif 000010
【図９】
2004252649.tif 000011
【図１０】
2004252649.tif 000012
【図１１（１）】
2004252649.tif 000013
【図１１（２）】
2004252649.tif 000014
【図１２】
2004252649.tif 000015
【図１３】
2004252649.tif 000016